(57)【要約】      （修正有）【課題】アース端子とアース金属板との間に連接構造を別に設ける必要がなく、樹脂射出成形による絶縁本体により端子を固定する端子アース構造付きコネクタを提供する。【解決手段】タンプレート部１２０が設けられる絶縁本体１００と、前記タンプレート部の上側に設けられ、コンタクト端を有する導電端子２００と、前記タンプレート部の上側に設けられ、前記導電端子と距離を置いて配列され、連接端３１０を有するアース端子３００と、前記タンプレート部の下側に設けられ、前記タンプレート部の前側に前記アース端子の前記連接端と一体に連接するアース金属板４００とを含み、前記コンタクト端と前記連接端とは前記タンプレート部の前側に近接する。【選択図】図２
0003164221.tif 000002
【実用新案登録請求の範囲】
【請求項１】
タンプレート部が設けられる絶縁本体と、
前記タンプレート部の上側に設けられ、コンタクト端を有する導電端子と、
前記タンプレート部の上側に設けられ、前記導電端子と距離を置いて配列され、連接端を有するアース端子と、
前記タンプレート部の下側に設けられ、前記タンプレート部の前側に前記アース端子の前記連接端と一体に連接するアース金属板と、
を含み、
前記コンタクト端と前記連接端とは前記タンプレート部の前側に近接することを特徴とする端子アース構造付きコネクタ。
【請求項２】
前記アース端子と前記導電端子とは、互いに平行するように配列されることを特徴とする、請求項１に記載の端子アース構造付きコネクタ。
【請求項３】
前記アース端子と前記導電端子とは、延び方向に沿って配列され、前記アース金属板も前記延び方向に沿って延びることを特徴とする、請求項２に記載の端子アース構造付きコネクタ。
【請求項４】
前記アース端子の前記連接端と前記導電端子の前記コンタクト端とは、前記延び方向に沿って距離を置いて配列され、前記アース金属板も前記延び方向に沿って延びることを特徴とする、請求項２に記載の端子アース構造付きコネクタ。
【請求項５】
前記導電端子には、導電切り端が別に設けられ、前記アース端子には、アース切り端が別に設けられ、前記導電切り端と前記アース切り端とは、前記延び方向に沿って距離を置いて配列されることを特徴とする、請求項２に記載の端子アース構造付きコネクタ。
【請求項６】
前記アース端子の構成は、実際に前記導電端子の構成と同じであることを特徴とする、請求項２に記載の端子アース構造付きコネクタ。
【請求項７】
更に、金属カバーを含み、前記金属カバーは、前記絶縁本体に固定され、前記タンプレート部の上側に設けられ、前記アース金属板と連接することを特徴とする、請求項１に記載の端子アース構造付きコネクタ。
【考案の詳細な説明】
【技術分野】
【０００１】
本考案は、端子アース構造付きコネクタに関し、特に、一体成形されるアース端子とアース金属板と、有する端子アース構造付きコネクタに関するものである。
【背景技術】
【０００２】
ノートブック型パーソナルコンピュータのディスプレイとホストとの間に膨大なデータ量を伝送するために、低圧差動信号（ＬＶＤＳ，Ｌｏｗ  Ｖｏｌｔａｇｅ  Ｄｉｆｆｅｒｅｎｔｉａｌ  Ｓｉｇｎａｌ）を伝送するコネクタを信号伝送インターフェースとすることが一般である。ＬＶＤＳコネクタは、一定の時間内に膨大なデータ量を伝送することが必要であり、電磁波の干渉を防止するために、コネクタの外面に金属カバーを設けられ、且つ複数のアース端子が一本のリードを介して前記金属カバーと電気的に連接し、これにより、前記リードを介して前記金属カバーにある電荷がアース端子を経由してアースされる。
【０００３】
しかし、ＬＶＤＳコネクタにある端子は、その配列が極めて緻密であるため、溶接が極めて困難であり、半田が隣接する端子に接触すると短絡になり、コネクタ全体が不良品になる。そして溶接作業はかなりの工数を掛かる。
【０００４】
上記の問題を解決するために、金属ケースを切って湾折することにより弾性片を形成して、絶縁本体に前記金属ケースを組付けるときに、アース端子に前記弾性片をコンタクトする技術が提案された。しかし、このような構成によれば、前記弾性片は他の端子とコンタクトして短絡になる可能性があり、そうすると、コネクタ全体が不良品になる。
【０００５】
一方、従来の技術によれば、端子を設置するときには、絶縁本体の端子溝に全ての端子を一回で挿し込むことが必要であり、これらの端子の配列が整然ではないと、端子の絶縁本体の端子溝への挿入の失敗率が高く、端子の絶縁本体の端子溝への挿入が失敗すると、コネクタ全体が不良品になる。
【考案の概要】
【考案が解決しようとする課題】
【０００６】
本考案の目的は、アース端子とアース金属板との間に連接構造を別に設ける必要がなく、樹脂射出成形による絶縁本体により端子を固定する端子アース構造付きコネクタを提供することにある。
【課題を解決するための手段】
【０００７】
本考案の端子アース構造付きコネクタによると、タンプレート部が設けられる絶縁本体と、
前記タンプレート部の上側に設けられ、コンタクト端を有する導電端子と、
前記タンプレート部の上側に設けられ、前記導電端子と距離を置いて配列され、連接端を有するアース端子と、
前記タンプレート部の下側に設けられ、前記タンプレート部の前側に前記アース端子の前記連接端と一体に連接するアース金属板と、
を含み、
前記コンタクト端と前記連接端とは前記タンプレート部の前側に近接することを特徴とする。
【０００８】
本考案の端子アース構造付きコネクタによると、前記アース端子と前記導電端子とは、互いに平行するように配列されることを特徴とする。
【０００９】
本考案の端子アース構造付きコネクタによると、前記アース端子と前記導電端子とは、延び方向に沿って配列され、前記アース金属板も前記延び方向に沿って延びることを特徴とする。
【００１０】
本考案の端子アース構造付きコネクタによると、前記アース端子の前記連接端と前記導電端子の前記コンタクト端とは、前記延び方向に沿って距離を置いて配列され、前記アース金属板も前記延び方向に沿って延びることを特徴とする。
【００１１】
本考案の端子アース構造付きコネクタによると、前記導電端子には、導電切り端が別に設けられ、前記アース端子には、アース切り端が別に設けられ、前記導電切り端と前記アース切り端とは、前記延び方向に沿って距離を置いて配列されることを特徴とする。
【００１２】
本考案の端子アース構造付きコネクタによると、前記アース端子の構成は、実際に前記導電端子の構成と同じであることを特徴とする。
【００１３】
本考案の端子アース構造付きコネクタによると、更に、金属カバーを含み、前記金属カバーは、前記絶縁本体に固定され、前記タンプレート部の上側に設けられ、前記アース金属板と連接することを特徴とする。
【考案の効果】
【００１４】
本考案の端子アース構造付きコネクタによれば、次のような効果がある。
（１）アース端子とアース金属板との間に連接構造を別に設ける必要がなく、アース端子とアース金属板とが一体成形されるため、溶接工数を省略することができ、半田または弾性片の隣接する端子への接触による短絡を防止することができる。
（２）樹脂射出成形による絶縁本体により端子を固定するため、端子の絶縁本体の端子溝への挿入が必要なくなり、コネクタの不良率を大幅に減少できる。
【図面の簡単な説明】
【００１５】
【図１】本考案の一実施例の組立済み状態の斜視図である。
【図２】本考案の一実施例の分解斜視図である。
【図３】本考案の一実施例の分解斜視図である。
【図４】本考案のアース端子とアース金属板との断面図である。
【図５】本考案の導電端子とアース金属板との断面図である。
【図６】本考案の導電端子とアース端子とアース金属板とが設けられる金属板を示す表示図である。
【図７】本考案の導電端子とアース端子とアース金属板とが設けられる金属板を示す表示図である。
【図８】本考案の絶縁本体が当該金属板に成形された状態の表示図であって、当該金属板の連接板が切られた。
【考案を実施するための形態】
【００１６】
以下、本考案の実施の形態を図面に基づいて説明する。
まず、図１乃至図５を参照する。図１は本考案の一実施例の組立済み状態の斜視図であり、図２及び図３は本考案の一実施例の分解斜視図であり、図４は本考案のアース端子とアース金属板との断面図であり、図５は本考案の導電端子とアース金属板との断面図である。
【００１７】
本実施例では、コネクタ１は、低圧差動信号（ＬＶＤＳ）を伝送するコネクタであり、絶縁本体１００と、複数の導電端子２００と、複数のアース端子３００と、アース金属板４００と、金属カバー５００と、を含む。
【００１８】
絶縁本体１００は、延び方向Ｄ１に沿って延び、本体部１１０と、タンプレート部１２０と、固定部１５０と、を含む。本体部１１０の下側に係合ブロック１１１が複数設けられる。タンプレート部１２０は本体部１１０から一体に延びる。固定部１５０は本体部１１０の上側に設けられる。タンプレート部１２０と本体部１１０との上側に端子溝１３０が複数設けられる。これらの端子溝１３０は固定部１５０を貫通する。タンプレート部１２０の下側にアース溝１４０が設けられ、アース溝１４０がこれらの端子溝１３０と連通する。
【００１９】
これらの導電端子２００は、タンプレート部１２０の上側にある端子溝１３０に設けられ、端子溝１３０を経由して固定部１５０を貫通するため、本考案の固定部１５０はこれらの導電端子２００の固定を補助する効果を有する。導電端子２００には、図５に示すように、コンタクト端２１０と、導電切り端２２０と、が設けられる。導電端子２００はアース金属板４００から絶縁する。図５に示すように、導電端子２００のコンタクト端２１０は、アース金属板４００から距離を置いて設けられる。コンタクト端２１０はタンプレート部１２０の前側に位置する。導電切り端２２０は本体部１１０に位置する。
【００２０】
アース端子３００は、タンプレート部１２０の上側にある端子溝１３０に設けられ、端子溝１３０を経由して固定部１５０を貫通し、導電端子２００と距離を置いて配列され、すなわち、アース端子３００と導電端子２００とは同じ端子溝１３０内に設置されない。本実施例では、アース端子３００と導電端子２００とは、実際に同じ構成を有し、互いに平行するように延び方向Ｄ１に沿って配列される。アース端子３００には、連接端３１０と、アース切り端３２０と、が設けられる。連接端３１０はタンプレート部１２０の前側に位置する。アース切り端３２０は本体部１１０に位置する。図４に示すように、アース端子３００の連接端３１０はアース金属板４００と一体に連接する。アース端子３００の連接端３１０と導電端子２００のコンタクト端２１０とは、延び方向Ｄ１に沿って距離を置いて配列される。導電切り端２２０とアース切り端３２０とは、延び方向Ｄ１に沿って距離を置いて配列される。
【００２１】
アース金属板４００は、延び方向Ｄ１に沿って延び、タンプレート部１２０と本体部１１０の下側に設けられ、その一部がタンプレート部１２０のアース溝１４０に収容され、その他部に係合溝４１０が複数設けられ、係合溝４１０が本体部１１０の係合ブロック１１１と係合する。アース金属板４００は、タンプレート部１２０の前側にアース端子３００の連接端３１０と一体に連接する。アース金属板４００と導電端子２００とは距離を置いて設けられるため、互いに絶縁する。
【００２２】
金属カバー５００は、絶縁本体１００に固定され、本体部１１０とタンプレート部１２０との上側に設けられ、アース金属板４００と連接する。
【００２３】
本考案の導電端子２００とアース端子３００とアース金属板４００とは、金属板Ａ１をプレスせん断加工して形成される。金属板Ａ１をプレスせん断加工した後、図６に示すように、金属板Ａ１は、連接板Ａ２と、導電端子２００と、アース端子３００と、アース金属板４００と、を含み、すなわち、連接板Ａ２と導電端子２００とアース端子３００とアース金属板４００とは一体成形され、連接板Ａ２は導電端子２００及びアース端子３００と一体に連接する。
【００２４】
この後、アース端子３００とアース金属板４００との連接箇所で金属板Ａ１を湾折し、例えばアース端子３００のコンタクト端２１０に近接する箇所で金属板Ａ１を湾折し、これにより、図７に示すように、導電端子２００とアース端子３００とがアース金属板４００に近接する箇所に設置される。
【００２５】
最後に、金型に金属板Ａ１を設置して、樹脂射出成形（ｉｎｓｅｒｔ  ｍｏｌｄｉｎｇ）により絶縁本体１００を成形して、導電切り端２２０とアース切り端３２０とに近接箇所に連接板Ａ２を切断すると、図８に示すように、導電端子２００とアース端子３００とアース金属板４００とが絶縁本体１００に固定される。
【００２６】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００２７】
本考案は、コネクタに適用することができる。
【符号の説明】
【００２８】
１  コネクタ
１００  絶縁本体
１１０  本体部
１１１  係合ブロック
１２０  タンプレート部
１３０  端子溝
１４０  アース溝
１５０  固定部
２００  導電端子
２１０  コンタクト端
２２０  導電切り端
３００  アース端子
３１０  連接端
３２０  アース切り端
４００  アース金属板
４１０  係合溝
５００  金属カバー
Ａ１  金属板
Ａ２  連接板
Ｄ１  延び方向
【図１】
0003164221.tif 000003
【図２】
0003164221.tif 000004
【図３】
0003164221.tif 000005
【図４】
0003164221.tif 000006
【図５】
0003164221.tif 000007
【図６】
0003164221.tif 000008
【図７】
0003164221.tif 000009
【図８】
0003164221.tif 000010